(57)【要約】【課題】腕を患者の着衣内に深く挿入しても、布が腕を妨げないようにする。【解決手段】着衣丈が股下までのパンツ部３と胴部２が一体となったつなぎ型の患者用着衣において、上記パンツ部３の前後身頃は股下で分離され、これを胴側へ折返す。一方、胴部上端の胴挿入口１を脇下に一致させる。これにより上下の腕挿入口距離が短くなる。【選択図】  図１
2006057210.tif 000002
【特許請求の範囲】
【請求項１】
上端に胴挿入口を開口形成した胴部と、該胴部の下部に連なる短小のパンツ部と、パンツ部は腿の上部つけ根から下部つけ根に向う斜め内向きの腿出し口を左右対称的に有し、左右腿出し口間に、腿出し口の側縁に連なる股当片を有する患者用着衣において、上記股当片を構成する前身頃と後身頃は左右腿出し口の上部つけ根を結ぶ線上から折返し可能に前後に分離され、一方、胴部は、上記身頃の折返しによってその折返し縁と胴挿入口との間の距離が短くなるように胴挿入口を着用者の脇下部に位置する長さに設定したことを特徴とする患者用着衣。
【請求項２】
上端に胴挿入口を開口形成した胴部と、該胴部の下部に連なる短小のパンツ部と、パンツ部は腿の上部つけ根から下部つけ根に向う斜め内向きの腿出し口を左右対称的に有し、左右腿出し口間に、腿出し口の側縁に連なる股当片を有する患者用着衣において、上記胴挿入口に、上記下部のパンツ部と略同一構造の第２のパンツ部を両パンツ部が上下対称をなすように連設したことを特徴とする患者用着衣。
【請求項３】
胴挿入口部に長さ調整自在の肩掛け具を設けたことを特徴とする請求項１記載の患者用着衣。
【請求項４】
股当片を構成する前身頃と後身頃を開塞子により、開閉自在になしたことを特徴とする請求項１記載の患者用着衣。
【請求項５】
胴挿入口から胴部の途中までを開塞子により、左右開閉自在に設けたことを特徴とする請求項１記載の患者用着衣。
【発明の詳細な説明】
【技術分野】
【０００１】
本発明は、パンツ部と胴部とが一体の患者用着衣の技術分野に関するものである。
【背景技術】
【０００２】
例えば栄養物を送るチューブを抜き差ししたり、身体を拭いたりするときなど、患者の着衣内に腕を深く挿入することが多く行われている。
【０００３】
従来、下記記載の患者用着衣が提案されている。
【特許文献１】特開２００２−０５４０１号公報  上記特許文献に記載の着衣はパンツ部とシャツ部（胴部）が一体のつなぎタイプの患者用着衣であり、左右両腕外側に沿った袖部、前身頃中央に沿った腹部、左右両脚に沿った裾部の３箇所に、開塞手段であるファスナーまたはボタンを設けたものである。
【発明の開示】
【発明が解決しようとする課題】
【０００４】
上記特許文献に記載の患者用着衣は腹部ファスナーの一部を開いて、介護人が上記患者用着衣内に腕を挿入して作業する場合、ファスナーより離れた部位では、着衣が邪魔をし、腕を一杯に挿入しても目的の患部に届かないという課題がある。
【０００５】
このため腹部ファスナーを全部解除して、患者の着衣前身頃全体をはだけさせ目的とする患部への作業を行わせることは可能であるが、介護人は長いファスナーの開閉を繰り返さなければならず、これが依然として煩雑である。
【０００６】
上記問題に鑑み、本発明は成された。本発明の目的は、介護人が患者の着衣内部に腕を挿入して患者の腹部にチューブを抜き差しする、或いは身体を清拭などする際、着衣が腕の挿入長さを損なわないようにした、患者用着衣を提供することにある。
【課題を解決するための手段】
【０００７】
前述の課題を解決するため、本発明に係わる患者用着衣は、特許請求の範囲の各請求項に記載の手段を採用する。
【０００８】
請求項１によると、上端に胴挿入口を開口形成した胴部と、該胴部の下部に連なる短小のパンツ部と、パンツ部は腿の上部つけ根から下部つけ根に向う斜め内向きの腿出し口を左右対称的に有し、左右腿出し口間に、腿出し口の側縁に連なる股当片を有する患者用着衣において、上記股当片を構成する前身頃と後身頃は左右腿出し口の上部つけ根を結ぶ線上から折返し可能に前後に分離され、一方、胴部は、上記身頃の折返しによってその折返し縁と胴挿入口との間の距離が短くなるように胴挿入口を着用者の脇下部に位置する長さに設定したことを特徴とする。
【０００９】
この手段では、股当片のパンツ部を構成する前身頃或いは後身頃が左右腿出し口の上部つけ根を結ぶ線上から折り返されて、腿側の腕挿入口が形成される。
一方、胴部の胴挿入口は着用者の脇下部に位置するように設定されるので、実質的に身頃の折返し縁と胴挿入口との距離は短くなり、腕を患部迄容易に延ばすことができる。
【００１０】
請求項２によると、パンツ部を胴部の胴挿入口にも設けているので、着衣の上下を問わず着用でき、そして下部パンツ部の腿出し口から左右の腿を、第２のパンツ（上部）の腿出し口から腕を夫々露出させて、兼用的に同時に挿通使用できる。
【００１１】
請求項３によると、請求項１の患者用着衣において、胴挿入口部に長さ調整自在の肩掛け具を設けたことを特徴とする。
【００１２】
この手段では、着衣がずり落ちることを防止する。また、体格に応じて肩掛け具を調整し、着衣を身体にフィットすることができる。
【００１３】
請求項４によると、請求項１の患者用着衣において、股当片を構成する前身頃と後身頃を開塞子により開閉自在になすことを特徴とする。
【００１４】
この手段では、着せ替え時には股当片を開かせ、着用中は股当片を閉塞させて股部の隠蔽を直ちに行わせることができる。
【００１５】
請求項５によると、請求項１の患者用着衣において、胴挿入口から胴部の途中までを開塞子により、左右開閉自在に設けたことを特徴とする。
【００１６】
この手段では、開塞子により胴挿入口を拡開自在としている。また、開塞子の長さを胴部の途中までとして、胴身頃の完全分離を防止する。
【発明の効果】
【００１７】
請求項１の本発明に係わる患者用着衣は、パンツ部を構成する前身頃と後身頃が左右腿出し口の上部つけ根を結ぶ線上から前後に折り返されて、腿側の腕挿入口が形成されるため、介護人は着衣の布に腕の挿入長さが損なわれることなく、着衣内に腕を挿入可能になる効果があり、しかも、胴部は、胴挿入口を着用者の脇下部に位置する長さに設定されているために、実質的に胴挿入口と上記折返し縁との間の距離が短くなり、腕を一杯に挿入しても着衣に邪魔されることがなく作業ができる。また、一方の腕を上記折返し縁より、他方の腕を胴挿入口より挿入して、両手での着衣内における細かい作業、例えば栄養物を送るチューブの抜き差しなどを確実に行わせることができる効果がある。
【００１８】
請求項２として、着衣の上下を問わず着用できるため、介護者による着衣の着せ替えが容易となる。また腿出し口が４個となるため、両腕と両腿を同時に露出させてシャツのように使用できる効果がある。
【００１９】
請求項３として、着衣がずり落ちることを防止するため、着用者は身体を長時間起こし続けることも、或いは歩き回ることも可能となる効果がある。
【００２０】
請求項４として、パンツ部の前後の股当片の捲れ上がりを防止するとともに、股部の隠蔽を行うことができるため、着用者がどのような姿勢を取っても、或いは歩き回っても良く、また介護人は必要に応じ開閉を容易に行える効果がある。
【００２１】
請求項５として、開塞子により胴挿入口の拡開ができて、開塞子の長さを胴部の途中までとして胴身頃の完全分断、所謂バラケを防止するので、患者への着衣の着せ替えが容易である。また、介護人によるの腕挿入作業を容易にする効果がある。
【発明を実施するための最良の形態】
【００２２】
以下、本発明に係わる患者用着衣の第１実施例を図１〜３に基づいて説明する。
【実施例１】
【００２３】
図１のように上端に胴挿入口１を開口形成した胴部２と、該胴部２の下部に連なる短小のパンツ部３とでなる。
【００２４】
パンツ部３は胴部２の下部左右側に腿の上部つけ根から下部つけ根を結ぶ斜め内向きの腿出し口４が左右対称的に設けられている。
【００２５】
左右の腿出し口４間には、腿出し口４の側縁に連なる股当片５を有している。
【００２６】
股当片５を構成する前身頃と後身頃はその股部６で分離され、股部に設けたひも７の結着により開閉できるようになっている。
【００２７】
また胴挿入口１の縁にも肩ひも８が取付けられている。
【００２８】
更に胴部２の前身頃には伸縮性のない布地９が張設され、この布地９に上下方向に開閉するファスナー１０（請求項４の開塞子）が設けられている。
【００２９】
次に、上記実施例１の形態の着用手順を述べる。
胴挿入口１から両足を挿入し、胴挿入口１を着用者の脇下まで引き上げる。それにより着用状態となる。
【００３０】
上記着用状態で肩ひも８を図２のように着用者の肩に掛けて結び、着衣は着用者の肩よりつり下げられる。
【００３１】
また、股当片５をひも７で結び、患者の股部は閉じられる。
【００３２】
次に着衣の下側へ腕を挿入するには、図２の状態で股当片５のひも７をほどき、この状態で図３のようのに股当片５の前身頃を腹側に折返し、それにより折返し縁５ａと胴挿入口１との間の距離は図３のように短くなることが分かる。そして、折返し縁５ａから片方の腕を、他方の腕を胴挿入口１から挿入して患部への手作業を行う。
【００３３】
なお、上記［００２９］の着用手順において、ファスナー１０を開き胴挿入口１を拡開させて着用しても良く、そして着用後はファスナー１０を閉じる。また、［００３２］において、腕の挿入時にはファスナー１０を開き、拡開したファスナー１０部分から他方の腕を挿入しても良い。
【００３４】
尚本発明に係わる患者用着衣の材料は主に布類が使用されるが、一種類の材料で構成することは勿論、着衣の部位によって異なる材料を組み合わせることが可能である。例えば、着衣本体の前後身頃を伸縮性テクスチャーを有する混紡布で作り、汗などで汚れやすい胸から腹にかけての部分は、伸縮性は乏しいが吸湿性の良い木綿で作り、前身頃に重ねて縫い合わせる。
【００３５】
これにより、着用者の身体に着衣は良くフィットして肌と床の間に褥瘡の原因となる皺ができにくくなるので、患者の体位交換頻度を減らすことができる。また、汗を良く吸収蒸散させるので、着衣内の蒸れに起因する不快感を解消することができる。
【実施例２】
【００３６】
図４は本発明の第２実施例を示す。この例では、第１実施例と略同様に上端に胴挿入口１を形成した胴部２と、該胴部２の下部に連なる短小のパンツ部３と、パンツ部は腿の上部つけ根から下部つけ根に向かう斜め内向きの腿出し口４を左右対称的に有し、左右腿出し口４間に腿出し口の側縁に連なる股当片を有する患者用着衣において、上記胴挿入口１に上記パンツ部３と略同一構造の第２のパンツ部３１を両パンツ部が上下対称をなすように連設したものである。
【００３７】
この構成によれば、頭側または足側からも着衣の上下を問わず着用でき、そして下部腿出し口から図４のように左右の腿を、上部腿出し口から左右の腕を露出させてシャツ状に使用させることができる。また、実施例１で述べた股当片の折返しもできることは勿論である。
【図面の簡単な説明】
【００３８】
【図１】本発明に係わる患者用着衣の第１実施例の全体の斜視図である。
【図２】図１の着衣の着用状態を示す平面図である。
【図３】図２の着衣の股部の折返し状態を示す平面図である。
【図４】第２実施例の着衣の正面図である。
【符号の説明】
【００３９】
１    胴挿入口
２    胴部
３    パンツ部
３１  第２のパンツ部  
４    腿出し口
５    股当片
５ａ  折返し縁
６    股部
７    ひも
８    肩ひも
９    布地
１０  開塞子（ファスナー）
１１  当布
【図１】
2006057210.tif 000003
【図２】
2006057210.tif 000004
【図３】
2006057210.tif 000005
【図４】
2006057210.tif 000006